(57)【要約】【課題】  第１の電力状態よりも低電力となる第２の電力状態において、受信するジョブに適応して、ＣＰＵを冷却するファンの駆動タイミングをできるだけ遅らせることで、画像形成装置が画像形成開始する際に発生する動作音量の変化を低減する。【解決手段】    ジョブを受信して画像処理を行う際に、電源手段から電源が供給される冷却手段により冷却されるＣＰＵが印刷手段を制御する画像形成装置において、ＣＰＵは、第１の電力状態よりも低い第２の電力状態に遷移させた後、第２の電力状態から第１の電力状態に復帰するジョブを受信手段が受信することを検知する。その際、ＣＰＵは電源手段から前記冷却手段に電源を供給する開始タイミングが遅くなるように調整することを特徴とする。【選択図】  図３
2015125429.tif 000002
【特許請求の範囲】
【請求項１】
ジョブを受信して画像処理を行う際に、電源手段から電源が供給される冷却手段により冷却されるＣＰＵが印刷手段を制御する画像形成装置であって、
前記画像形成装置の電力状態を第１の電力状態よりも低い第２の電力状態に遷移させた後、前記第２の電力状態から第１の電力状態に復帰するジョブを受信手段が受信したことを検知する検知手段と、
前記第２の電力状態から第１の電力状態に復帰する要因を検知した場合、前記電源手段から前記冷却手段に電源を供給する開始タイミングが遅くなるように調整する制御手段と、を備えることを特徴とする画像形成装置。
【請求項２】
前記制御手段は、受信したジョブの種類に応じて、前記電源手段から前記冷却手段に電源を供給する開始タイミングが遅くなるように調整することを特徴とする請求項１記載の画像形成装置。
【請求項３】
前記受信手段が受信したジョブの種類が前記印刷手段を使用するジョブを検知した場合、前記制御手段は、前記冷却手段に電力供給を開始するタイミングが前記電源手段から前記印刷手段に電力を供給するタイミングよりも遅くなるように調整することを特徴とする請求項２記載の画像形成装置。
【請求項４】
前記ＣＰＵに供給される駆動信号により発生する温度を検知する温度検知手段を備え、
前記検知手段が検知したジョブの種類が前記印刷手段を使用しないジョブである場合で、かつ、前記温度検知手段が検知する温度が所定のしきい値温度を超えている場合、前記制御手段は、前記電源手段から前記冷却手段に電力の供給を開始することを特徴とする請求項２記載の画像形成装置。
【請求項５】
前記検知手段が検知したジョブの種類が前記印刷手段を使用しないジョブであると判断した場合で、かつ、前記温度検知手段が検知する温度が所定のしきい値温度を超えていない場合、前記制御手段は、前記電源手段から前記冷却手段に電力の供給を行わないことを特徴とする請求項４記載の画像形成装置。
【請求項６】
前記印刷手段が印刷可能とする際に発生する動作音量は、前記冷却手段の動作音量よりも高いことを特徴とする請求項１乃至５のいずれか１項に記載の画像形成装置。
【請求項７】
画像を読み取る読取手段と、読み取る原稿を搬送する原稿搬送手段と、前記印刷手段にシートを給紙する給紙手段と、前記印刷手段により印刷されたシートに後処理を行う後処理手段と、前記印刷手段により印刷されたシートを前記後処理手段に搬送する搬送手段と、を備えることを特徴とする請求項１乃至６のいずれか１項に記載の画像形成装置。
【請求項８】
前記印刷手段は、前記電源手段から供給される電力で駆動する感光体に形成される潜像を現像剤で現像する現像手段と、現像された画像をシートに転写する転写手段と、前記シートに転写された現像剤を定着する定着手段と、印刷コントローラとを備え、前記印刷手段の印刷開始前に、前記印刷コントローラが前記現像手段と、前記転写手段と、前記定着手段とを回転駆動することを特徴とする請求項１記載の画像形成装置。
【請求項９】
ジョブを受信して画像処理を行う際に、電源手段から電源が供給される冷却手段により冷却されるＣＰＵが印刷手段を制御する画像形成装置の制御方法であって、
前記画像形成装置の電力状態を第１の電力状態よりも低い第２の電力状態に遷移させる電源制御工程と、
前記第２の電力状態から第１の電力状態に復帰するジョブを受信手段が受信することを検知する検知工程と、
前記検知工程が前記第２の電力状態から第１の電力状態に復帰する要因を検知した場合、前記電源手段から前記冷却手段に電源を供給する開始タイミングが遅くなるように調整する制御工程と、
を備えたことを特徴とする画像形成装置の制御方法。
【請求項１０】
請求項９に記載の画像形成装置の制御方法をコンピュータに実行させることを特徴とするプログラム。
【発明の詳細な説明】
【技術分野】
【０００１】
本発明は、画像形成装置、画像形成装置の制御方法、及びプログラムに関するものである。
【背景技術】
【０００２】
画像形成装置は、非稼働時に印刷機構部や冷却用ＦＡＮなどの駆動装置を停止させ、低消費電力状態で動作する待機モードを備えている。この待機モードでは、画像形成装置は無音状態で待機することが可能である。待機モードにおいてネットワークなどからジョブを投入されると、ただちに通常動作モードに復帰しジョブを処理する。特許文献１には、画像形成装置を構成するプリンタユニットなどの各機構に対して、通常動作モードへの復帰の際、必要な機構のみ通常動作モードに復帰させる手法が提示されている。
【０００３】
また、人の感覚に関する法則として、ヴェーバー・フェヒナーの法則が知られている。この法則によれば、刺激に対する人の感覚量は対数に比例する。つまり、音量を例に挙げれば、音量増加量の絶対値が同じであっても、中音量から大音量に変化した場合より、無音から小音量に変化した場合のほうが感知されやすいことを意味している。
【先行技術文献】
【特許文献】
【０００４】
【特許文献１】特開２００４−２２２２３４号公報
【発明の概要】
【発明が解決しようとする課題】
【０００５】
画像形成装置が低消費電力状態である待機モードから、通常動作モードに復帰する際、ＣＰＵやプリンタユニットなどは並行して復帰動作できる。だが実際には、まずメインＣＰＵが稼働し、冷却ＦＡＮが回転を始め、その後にプリンタユニットが動作し始めるなど、復帰動作の開始タイミングがずれてしまう。
つまり、無音状態から小音量、小音量から中音量、中音量から大音量など、一連の復帰動作のなかで音量が大きく変化する点が複数存在する。その結果、ヴェーバー・フェヒナーの法則により人がその変化に気が付く回数が多くなり、ユーザに音量の変化量に応じて多くの不快感を与えてしまうことが問題となる。
【０００６】
本発明は、上記の課題を解決するためになされたもので、本発明の目的は、第１の電力状態よりも低電力となる第２の電力状態において、受信するジョブに適応して、ＣＰＵを冷却するファンの駆動タイミングをできるだけ遅らせることで、画像形成装置が画像形成開始する際に発生する動作音量の変化を低減できる仕組みを提供することである。
【課題を解決するための手段】
【０００７】
上記目的を達成する本発明の画像形成装置は以下に示す構成を備える。
ジョブを受信して画像処理を行う際に、電源手段から電源が供給される冷却手段により冷却されるＣＰＵが印刷手段を制御する画像形成装置であって、前記画像形成装置の電力状態を第１の電力状態よりも低い第２の電力状態に遷移させた後、前記第２の電力状態から第１の電力状態に復帰するジョブを受信手段が受信したことを検知する検知手段と、前記第２の電力状態から第１の電力状態に復帰する要因を検知した場合、前記電源手段から前記冷却手段に電源を供給する開始タイミングが遅くなるように調整する制御手段と、を備えることを特徴とすることを特徴とする。
【発明の効果】
【０００８】
本発明によれば、第１の電力状態よりも低電力となる第２の電力状態において、受信するジョブに適応して、ＣＰＵを冷却するファンの駆動タイミングをできるだけ遅らせることで、画像形成装置が画像形成開始する際に発生する動作音量の変化を低減できる。
【図面の簡単な説明】
【０００９】
【図１】画像形成装置の構成を説明するブロック図である。
【図２】システムコントローラの構成を説明するブロック図である。
【図３】画像形成装置の制御方法を説明するフローチャートである。
【図４】ジョブの種類別に各ユニットの発生音量差分を定量化したテーブルである。
【図５】画像形成装置の各デバイスの駆動タイミングを説明する図である。
【図６】画像形成装置の制御方法を説明するフローチャートである。
【発明を実施するための形態】
【００１０】
次に本発明を実施するための最良の形態について図面を参照して説明する。
＜システム構成の説明＞
〔第１実施形態〕
【００１１】
図１は、本実施形態を示す画像形成装置の構成を説明するブロック図である。
図１において、画像処理を実行する画像形成装置１００は、システムコントローラ１０１、電源機構部１０２、印刷機構部１０３、給紙機構部１０４からなる。
システムコントローラ１０１は、後述するＣＰＵ２０１を含むコントローラユニットを冷却するＦＡＮ１２５を含む。電源機構部１０２は、電源生成装置１０５と電源分配回路１０７を含むように構成されている。印刷機構部１０３は、複数の印刷用モータ１１２を備えた印刷装置１０９と印刷コントローラ１１０を含むように構成されている。なお、印刷装置１０９には、電源手段から供給される電力で駆動する感光体に形成される潜像を現像剤で現像する現像手段と、現像された画像をシートに転写する転写手段と、前記シートに転写された現像剤を定着する定着手段と、印刷コントローラとを備え、前記印刷手段の印刷開始前に、前記印刷コントローラが前記現像手段と、前記転写手段と、前記定着手段とをモータ１１２が図示しないベルトやギアを介して回転駆動させる。この際、印刷機構部１０３からは所定デシベルの動作音が発生する。このため、印刷手段が印刷可能とする際に発生する動作音量は、冷却手段としてのＦＡＮが駆動する際に発生する動作音量よりも高い。
また、画像形成装置１００は、画像を読み取る読取手段や、読み取る原稿を搬送する原稿搬送手段を備えて複合機能処理を実行できるように構成してもよい。
なお、給紙機構部１０４は印刷機構部１０３にシートを給紙する。さらに、印刷機構部１０３は印刷されたシートに後処理を行う後処理手段と、前記印刷手段により印刷されたシートを前記後処理手段に搬送する搬送手段とを備えていてもよい。
【００１２】
システムコントローラ１０１は、ＦＡＮ１２５を備え、システムコントローラ１０１内部を冷却することができる。また、システムコントローラ１０１は電源分配回路１０７に対して電源生成指示信号１０８によって接続し、システムコントローラ１０１への給電経路により、電源分配回路１０７から電力供給を受ける。さらに、システムコントローラ１０１は印刷コントローラ１１０に接続し、印刷機構部１０３に印刷指示を出すことが出来る。画像形成装置１００が稼働していない状態では、システムコントローラ１０１は低消費電力状態で待機することができる。
【００１３】
電源機構部１０２は、システムコントローラ１０１からの指示に従って、システムコントローラ１０１への給電経路、印刷機構部１０３への給電経路、給紙機構部１０４への給電経路に電力を供給する。それらの電力は、電源インレット１０６からの電力を基に電源生成装置１０５が生成し、給電主経路１１９によって電源分配回路１０７にもたらされる。画像形成装置１００が稼働していない状態では、電源機構部１０２は低電力生成状態で待機することができる。
【００１４】
印刷機構部１０３は、システムコントローラ１０１からの指示に従って、印刷を行う。なお印刷の具体的な仕組みに関しては、本発明の本筋と関係がないため割愛する。印刷コントローラ１１０は、複数の印刷用モータ１１２や図示しない印刷用ユニットを駆動して、用紙に印刷を行う。画像形成装置１００が稼働していない状態では、印刷機構部１０３は電源分配回路１０７からの給電が停止され、完全に電源オフ状態になることができる。一方で、印刷を開始するためには温度管理や清掃などの準備が必要である。
【００１５】
給紙機構部１０４は、システムコントローラ１０１からの指示に従って、紙搬送を行う。なお紙搬送の具体的な仕組みに関しては、本発明の本筋と関係がないため割愛する。給紙モータドライバ１１４は給紙用モータや図示しない給紙用ローラを駆動して、用紙を搬送する。画像形成装置１００が稼働していない状態では、給紙機構部１０４は電源分配回路１０７からの給電が停止され、完全に電源オフ状態になることができる。
【００１６】
図２は、図１に示したシステムコントローラ１０１の構成を説明するブロック図である。
図２において、システムコントローラ１０１は、ＣＰＵ２０１、ストレージ２０２、ＲＡＭ２０３、ネットワークコントローラ（ＮＩＣ）２０４、ＦＡＮ−ＳＷ２０８、電源制御部２０６、ＣＰＵ温度計２１０からなる。なお、ＣＰＵ２０１は、図示しない駆動信号が入力され、その駆動信号を受けることでＣＰＵ２０１自体が高温となるため、ＦＡＮ１２５で冷却して、ＣＰＵ２０１の熱暴走を防止する制御が実行される。
ＣＰＵ２０１は、システムコントローラ１０１の中枢であって、画像形成装置１００を統括する。ＣＰＵ２０１はストレージ２０２内に保持したソフトウェアを用い、ＲＡＭ２０３を一時記憶として動作する。印刷コントローラ１１０へも画像形成装置１００が稼働していない状態では、ＣＰＵ２０１は低消費電力状態で待機できる。その際には、ＲＡＭ２０３のみ電力供給を継続し、ストレージ２０２へは給電を停止する。
【００１７】
ＮＩＣ２０４は、外部ネットワーク１２６に接続し、ＣＰＵ２０１とＮＷ通信信号２０５によって接続している。ＮＩＣ２０４はＣＰＵ２０１が外部ネットワーク１２６と通信する際の処理を代替する。画像形成装置１００が稼働していない状態では、ＮＩＣ２０４は低消費電力状態で待機し、外部ネットワーク１２６からのジョブ投入に備える。
電源制御部２０６は、ＣＰＵ２０１に接続し、ＣＰＵ２０１からの指示に従って電源分配回路１０７の電源分配制御を行う。ＣＰＵ温度計２１０は、ＣＰＵ２０１に接続し、ＣＰＵ２０１の温度検知を行いＣＰＵ２０１からの問い合わせに応答する。
【００１８】
図３は、本実施形態を示す画像形成装置の制御方法を説明するフローチャートである。本例は、画像形成装置１００が省電力状態（低消費電力状態）に遷移した後、スタンバイ状態に復帰させる際に発生する動作音を体感的に静音化する処理例である。投入されるジョブの種別は、「印刷」ジョブと「保存」ジョブを例として説明する。
なお、各ステップは、ＣＰＵ２０１が制御プログラムを実行することで実現される。以下、印刷機構部１０３の動作タイミングよりも動作音量が低いＦＡＮ１２５の動作タイミングが遅くなるように調整する処理を説明する。
低消費電力状態において、システムコントローラ１０１内ではＮＩＣ２０４と電源制御部２０６のみ通電され、外部ネットワーク１２６からのジョブ投入待ち状態で待機している（Ｓ１０１）。また、この状態では画像形成装置１００においては、電源分配回路１０７により印刷機構部１０３への電源供給は停止されているため、画像形成可能なスタンバイ状態に比べて省電力が低消費電力状態に遷移する。
【００１９】
まず、ＮＩＣ２０４が外部ネットワーク１２６から投入されたジョブを受信すると（Ｓ１０３のＹ）、ＮＩＣ２０４は、ＣＰＵ２０１のリセットを解除し、ＮＷ通信信号２０５を介してＣＰＵ２０１に復帰割り込みを上げる（Ｓ１０５）。すると、ＣＰＵ２０１は直ちに復帰する（Ｓ１０７）。
【００２０】
続いて、ＣＰＵ２０１はＮＷ通信信号２０５を介してＮＩＣ２０４から投入されたジョブを受信し、ＲＡＭ２０３に展開する（Ｓ１０９）。また、ＣＰＵ２０１はストレージ２０２からジョブテーブルを読み出し、ＲＡＭ２０３に展開する（Ｓ１１１）。受信したジョブの種類が「印刷」ジョブであると判断した場合（Ｓ１１３のＹ）、ＣＰＵ２０１はＲＡＭ２０３に展開したジョブ内容から、投入されたジョブの種類が「印刷」ジョブであると判断し、図４に一例を示すジョブテーブルを参照する。なお、Ｓ１１３の処理は、第２の電力状態から第１の電力状態に復帰する要因をジョブの種類に応じて判断する処理に対応する。
【００２１】
図４は、本実施形態を示す画像形成装置が記憶して管理するジョブテーブルの一例を示す図である。
図４に示すジョブテーブルでは、画像形成装置１００が行うジョブの種類に対して、画像形成装置１００のユニットを稼働させるかどうか、および各ユニットの発生音量差分を定量化している。
また、ジョブテーブルでは、全ての受付可能ジョブと画像形成装置１００の全ユニットが対応づけられており、その数値は、各ユニットにおける稼働時と非稼働時の発生させる音量の差を示している。"０"の場合、例えばジョブの種類が保存ジョブである場合は、印刷機構部が稼動しないことを意味している。
【００２２】
ＣＰＵ２０１は、ジョブテーブルの印刷ジョブ行を参照して、稼働させるべきユニットと、それらユニット中で最大の騒音源となるユニットを判断する。図４によれば、印刷ジョブで稼働させるべきユニットは、ＣＰＵ温度計２１０とＦＡＮ１２５、および印刷機構部１０３であり、最大の騒音源は発生音量差分が最大である印刷機構部１０３であるとわかる（Ｓ１２１）。
【００２３】
最大の騒音源が印刷機構部１０３であると判断されたため、ＣＰＵ２０１は印刷機構部１０３を先に起動させる。
まず、ＣＰＵ２０１は電源制御部２０６に印刷機構部１０３への給電開始を指示する（Ｓ１２３）。続いて、電源制御部２０６は、電源分配指示信号を介して電源分配回路１０７における印刷機構部１０３への通電回路を閉じ、印刷機構部１０３への給電を開始する（Ｓ１２５）。また、ＣＰＵ温度計２１０に起動を指示する（Ｓ１２７）。
【００２４】
印刷機構部１０３では、通電を開始されると自律して印刷コントローラ１１０が起動を開始し、起動した印刷コントローラ１１０が印刷用モータ１１２などの初期化を行う。よって、騒音源である印刷用モータ１１２の立ち上がりまでには時間差が生じる。そこで、ＣＰＵ２０１は、印刷制御信号１１１を介して、印刷コントローラ１１０に起動したかを問い合わせる（Ｓ１２９）。印刷コントローラ１１０が起動完了したと判断した場合（Ｓ１３１のＹ）、ＣＰＵ２０１はＦＡＮ−ＳＷ２０８をＯＮにしてＦＡＮ１２５を回転させる（Ｓ１３３）。
一方、印刷コントローラ１１０が起動完了していないと判断した場合（Ｓ１３１のＮ）、ＣＰＵ２０１はＣＰＵ温度計２１０からＣＰＵ２０１の温度を獲得する（Ｓ１３５）。あらかじめ、ＣＰＵ２０１は自身が耐えられる最大の温度をしきい値として記憶している。そこで、ＣＰＵ温度計２１０からから獲得したＣＰＵ２０１の温度がしきい値よりも大きいと判断した場合（Ｓ１３７のＹ）、ＣＰＵ２０１はＦＡＮ−ＳＷ２０８をＯＮにしてＦＡＮ１２５を回転させる（Ｓ１３３）。
一方、ＣＰＵ温度計２１０から獲得したＣＰＵ２０１の温度がしきい値よりも小さいと判断した場合（Ｓ１３７のＮ）、ＣＰＵ２０１は印刷コントローラ１１０への起動確認問合せ（Ｓ１２９）を継続する。
【００２５】
この処理の流れを時間軸上で示したものが、図５に示すタイミングチャートである。
図５において、ジョブの投入によりＡ時点でＣＰＵ２０１が起動し、ＣＰＵ２０１による各ユニットの起動指示がＢ時点で可能になるとする。ＣＰＵ２０１にとっては起動順序を介さなければ、電源制御部２０６への起動指示（５０１）、すなわち印刷機構部１０３への起動指示（５０２）と、ＣＰＵ温度計２１０への起動指示（５０３）、ＦＡＮ１２５への起動指示（５０４）を並行して行うことができる。だが実際には、Ｂ時点で電源制御部２０６が印刷機構部１０３の起動を指示してから、印刷機構部１０３が起動を開始するＣ時点までは、印刷コントローラ１１０の起動による時間差が生じる。ＣＰＵ温度計２１０やＦＡＮ１２５は起動指示からただちに起動できるのだが、Ｂ時点で同時に起動指示をしてしまうとＣ時点よりも先に起動してしまう（図５の破線部）。ゆえに、ＣＰＵ２０１はＣ時点で印刷機構部１０３が起動を開始するのを待ち、印刷機構部１０３が起動開始したことをもって、ＣＰＵ温度計２１０への起動指示（５０５）とＦＡＮ１２５への起動指示（５０６）を出す。
【００２６】
また、受信したジョブの「種類が「保存」ジョブであると判断した場合（Ｓ１１３のＮ）、図６に示す制御を開始する。
図６は、本実施形態を示す画像形成装置の制御方法を説明するフローチャートである。本例は、受信したジョブの種類が保存ジョブである場合における画像形成装置の各部の起動処理例である。なお、各ステップは、
まず、ＣＰＵ２０１は図４に示したジョブテーブルの保存ジョブ行を参照して、稼働させるべきユニットと、それらユニット中で最大の騒音源となるユニットを判断する（Ｓ２０１）。
図４に示すテーブルによれば、保存ジョブで稼働させるべきユニットは、ＣＰＵ温度計２１０とＦＡＮ１２５であり、最大の騒音源は発生音量差分が最大であるＦＡＮ１２５であるとわかる。
【００２７】
本例の場合のジョブの種類は保存ジョブであるため、ＣＰＵ２０１はＦＡＮ１２５は当面は不要なユニットであると判断し（Ｓ２０３）、ＣＰＵ温度計２１０に起動を指示した後（Ｓ２０５）、ＦＡＮ１２５の起動より先行してジョブ処理を開始する（Ｓ２０７）。
ＣＰＵ２０１は、ＣＰＵ温度計２１０からＣＰＵ２０１の温度を獲得し（Ｓ２０９）、獲得したＣＰＵ２０１温度がしきい値よりも大きいと判断した場合（Ｓ２１１のＹ）、ＣＰＵ２０１はＦＡＮ−ＳＷ２０８をＯＮにしてＦＡＮ１２５を回転させる（Ｓ１３３）。
そして、ＣＰＵ２０１がジョブを処理しつつ獲得したＣＰＵ２０１温度が、しきい値よりも小さいと判断した場合（Ｓ２１１のＮ）、ＣＰＵ２０１はジョブが終了していなければジョブ処理を継続し（Ｓ２１５のＮ）、ジョブが終了していると判断した場合（Ｓ２１５のＹ）、起動処理を終了させる。
【００２８】
本実施の形態によれば、画像形成装置が省電力状態において受信したジョブの種類を判断し、ジョブの稼働に必要なユニットとそれらが発生させる音量を基に起動順序を決める。その際には、稼働時と非稼働時の発生音量差分の大きいユニットを先行して起動させる。その結果、発生音量差分の小さい他のユニットを後から起動させても、ヴェーバー・フェヒナーの法則により、人はそれらユニットの起動音に気付けない。
つまり、複数のユニットを起動させているにも関わらず、起動音は１回しか体感されないため体感音の回数低減が可能となる。
また、受信したジョブの種類が保存ジョブの場合、ＦＡＮ１２５を最大の騒音源でありながら当面はジョブに不要な回路であるものとし、ＦＡＮ１２５の起動よりジョブ処理開始タイミングを先行させる。
こうすることによって、ＣＰＵ２０１の温度がしきい値よりも低い状態である限り、ＦＡＮ１２５を回転させずにジョブ処理を行うことが出来る。つまり、極短時間で処理可能なジョブは、無音のままで処理することが出来るようになる。いずれも、保護回路としてＣＰＵ温度計２１０を並行して用いることによって、ＦＡＮ１２５の回転開始を遅らせている間にＣＰＵ２０１が過熱してしまったりした場合であっても、必要な場合には例外的にＦＡＮ１２５を回転させ、冷却を行うことが出来る。
【００２９】
なお、印刷ジョブと保存ジョブを例として説明したが、ＦＡＸなど画像形成装置１００が処理可能な他のジョブであっても適用できる。また、最大の騒音源が画像形成装置１００が一般的に備える画像読み取り機構や給紙機構などであっても処理は変わらない。
【００３０】
なお、本実施形態では、図１に示した画像形成装置が備えるハードウエアの起動処理に本発明を適用する場合について説明した。
しかしながら、画像形成装置が備えるハードウエアは、起動処理で駆動音を発生するデバイスは機種特有のものであるため、種々の変形例が想定される。
したがって、本発明を適用な実施形態には、画像形成装置をスタンバイ状態に遷移させるために駆動させるデバイスの組み合わせには、種々の組み合わせが想定される。よって、画像形成装置１００に対して、図示しない一般的な構成要素を付加しても本発明を適用できることは、当業者にとって自明である。
【００３１】
なお、印刷機構部１０３の駆動を開始してから、ＣＰＵ２０１の温度上昇が開始して、所定時間経過前に規定のしきい値温度を超えることをＣＰＵ温度計２１０の値から判断した場合、ＦＡＮ１２５を即時に回転する制御を上述した制御フローに組み込む構成としてもよい。また、その際、印刷機構部１０３の駆動開始時にＣＰＵ２０１の温度上昇が開始して、規定のしきい値温度を超えることをＣＰＵ温度計２１０の値から判断した場合、ＦＡＮ１２５を即時に回転する制御を上述した制御フローに組み込む構成としてもよい。
さらに、印刷機構部１０３が発生する動作音よりも高い音量となる駆動部材、例えばＦＩＮを備える場合には、印刷機構部１０３と同時に駆動を開始するように制御する構成としてもよい。
また、ジョブが終了した場合、印刷機構部１０３が動作を終了刷る前に、ＦＡＮ１２５の動作を停止させる制御を上述した制御フローに組み込む構成としてもよい。なお、その際、次に実行すべきジョブを既に受信している場合には、当該制御を実行しないように制御あい、ＦＡＮ１２５は連続して回転させた状態を維持させる。
さらに、実行しているジョブの次に実行するジョブで駆動する部材については、先行するジョブを実行している間に動作確認のために対応する後続のジョブで使用する部材を駆動させるよう制御を上述した制御フローに組み込む構成としてもよい。
【００３２】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００３３】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００３４】
１００  画像形成装置
１０１  システムコントローラ
１０３  印刷機構部
１１０  印刷コントローラ
【図１】
2015125429.tif 000003
【図２】
2015125429.tif 000004
【図３】
2015125429.tif 000005
【図４】
2015125429.tif 000006
【図５】
2015125429.tif 000007
【図６】
2015125429.tif 000008